(57)【要約】【課題】空調対象室の天井に設置される照明器具の光に邪魔されることなく、空調対象室の適宜の箇所において表示の視認性の高い空気調和機の室内機を提案する。【解決手段】空気調和機１の室内機２は、下方へ開放される吹出口６６を有する送風路６２を含む後本体６５と、後本体６５に保持されて送風路６２内に配置される室内熱交換器１１と、後本体６５に保持され、室内熱交換器１１よりも下流側の送風路６２内に配置される室内ファン１２と、後本体６５の正面および側面を覆い外観部分を構成する前パネル６６と、前パネル６６より後ろ側、かつ吹出口８８より前側に配置されて、幅方向かつ上下方向に拡がる表示領域パネル９７と、表示領域パネル９７に設けられて情報を表示する第一表示部５５と、を備えている。前パネル６６は、第一表示部５５の上縁を通る水平面に対して０．２度前傾した面の高さから第一表示部５５の半分の高さまでの間に垂れ下がるシェード部９８を有している。【選択図】  図３
2016038173.tif 000002
【特許請求の範囲】
【請求項１】
下方へ開放される吹出口を有する送風路を含む後本体と、
前記後本体に保持されて前記送風路内に配置される熱交換器と、
前記後本体に保持され、前記熱交換器よりも下流側の前記送風路内に配置される送風機と、
前記後本体の正面および側面を覆い外観部分を構成する前パネルと、
前記前パネルより後ろ側、かつ前記吹出口より前側に配置されて、幅方向かつ上下方向に拡がる表示領域パネルと、
前記表示領域パネルに設けられて情報を表示する第一表示部と、を備え、
前記前パネルは、前記第一表示部の上縁を通る水平面に対して０．２度前傾した面の高さから前記第一表示部の半分の高さまでの間に垂れ下がるシェード部を有する空気調和機の室内機。
【請求項２】
前記シェード部の裏面側に設けられ、前記表示領域パネルに向けて光を照射し前記表示領域パネルに情報を表示する第二表示部を備える請求項１に記載の空気調和機の室内機。
【請求項３】
前記表示領域パネルのうち、前記室内機の幅方向における中央部の裏側に設けられて空調対象室内の状態を検知する検知器を備え、
前記第二表示部は、前記表示領域パネルのうち、前記検知器が配置されている箇所の表側に光を照射する請求項１または２に記載の空気調和機の室内機。
【請求項４】
前記表示領域パネルの遠近方向に向かって前記第二表示部の配置を変更させる遠近位置変更機構を備える請求項１から３のいずれか１項に記載の空気調和機の室内機。
【請求項５】
前記室内機の上下方向に向かって前記第二表示部の配置を変更させる上下位置変更機構を備える請求項１から４のいずれか１項に記載の空気調和機の室内機。
【発明の詳細な説明】
【技術分野】
【０００１】
本発明に係る実施形態は、空気調和機の室内機に関する。
【背景技術】
【０００２】
空調対象室の天井に設けられた照明器具から発せられる光が表示部にあたると、表示部の視認性が低下してしまう。
【０００３】
そこで、表示部を正面（水平方向）から見えない状態に遮蔽するパネルを備え、このパネルで照明器具から発せられる光を遮り表示部の視認性を高めた空気調和機の室内機が知られている。
【先行技術文献】
【特許文献】
【０００４】
【特許文献１】特開２００７−１８７３９４号公報
【発明の概要】
【発明が解決しようとする課題】
【０００５】
従来の空気調和機の室内機は、照明の光を遮るパネルによって、表示部の上半分以上を覆い隠してしまうため、正面からの視認性が低下する。
【０００６】
ところで、空気調和機の室内機は、空調能力の観点、換言すれば空調対象室の大きさを考慮すると、床面から室内機の底面までの高さが１８００ｍｍの高さに据え付けられた状態で、７０００ｍｍ離れた１８５０ｍｍの高さの視点から表示部の表示内容を認識できることが好ましい。ここで、室内機から視点までの距離７０００ｍｍは、赤外線を使ったリモートコントローラで室内機を確実に操作可能な距離である。また視点の高さ１８５０ｍｍは、平均的な人の目の高さの最大範囲を考慮した高さである。
【０００７】
そこで、本発明は、空調対象室の天井に設置される照明器具の光に邪魔されることなく、空調対象室の適宜の箇所において表示の視認性の高い空気調和機の室内機を提案する。
【課題を解決するための手段】
【０００８】
前記の課題を解決するため本発明の実施形態に係る空気調和機の室内機は、下方へ開放される吹出口を有する送風路を含む後本体と、前記後本体に保持されて前記送風路内に配置される熱交換器と、前記後本体に保持され、前記熱交換器よりも下流側の前記送風路内に配置される送風機と、前記後本体の正面および側面を覆い外観部分を構成する前パネルと、前記前パネルより後ろ側、かつ前記吹出口より前側に配置されて、幅方向かつ上下方向に拡がる表示領域パネルと、前記表示領域パネルに設けられて情報を表示する第一表示部と、を備え、前記前パネルは、前記第一表示部の上縁を通る水平面に対して０．２度前傾した面の高さから前記第一表示部の半分の高さまでの間に垂れ下がるシェード部を有している。
【図面の簡単な説明】
【０００９】
【図１】本発明の実施形態に係る空気調和機を示すブロック図。
【図２】本発明の実施形態に係る空気調和機の室内機を示す正面図。
【図３】本発明の実施形態に係る空気調和機の室内機を示す縦断面図。
【図４】本発明の実施形態に係る空気調和機の室内機を右斜め前側から示す斜視図。
【図５】本発明の実施形態に係る空気調和機の室内機を切断し、右斜め前側から示す縦断面斜視図。
【図６】本発明の実施形態に係る空気調和機の室内機の据付状態の一例を示す図。
【図７】本発明の実施形態に係る空気調和機の室内機の据付状態の一例を示す拡大図。
【発明を実施するための形態】
【００１０】
本発明に係る空気調和機の室内機の実施形態について、図１から図７を参照して説明する。
【００１１】
図１は、本発明の実施形態に係る空気調和機を示すブロック図である。
【００１２】
図１に示すように、本実施形態に係る空気調和機１は、空調対象室の壁面Ｗに設置される室内機２と、屋外に設置される室外機３と、入力装置としてのリモートコントローラ５（以下、単に「リモコン５」という。）と、を備えている。
【００１３】
室内機２は、空調対象室内の空気との間で熱交換を行う室内熱交換器１１と、空調対象室内の空気を流動させる室内ファン１２と、室内ファン１２を駆動させるモータ１３と、モータ１３の駆動を制御する室内ファン駆動部１４と、室内ファン１２から吹き出される空気の上下方向の風向を決めるルーバ１５と、ルーバ１５を駆動させるモータ１６と、モータ１６の駆動を制御するルーバ駆動部１７と、空調対象室内の温度を検知する室内温度センサ２２と、リモコン５から送られる赤外線を読み取る受光部２３と、音声発生部２６と、スピーカ２７と、ＥＥＰＲＯＭ２８と、ＲＯＭ２９と、ＲＡＭ３１と、室内制御部３２と、空調対象室内における人体の移動や存否を検知する検知器３３と、表示部３５と、空調対象室内の空気を清浄にする空気清浄部３６と、を備えている。
【００１４】
室外機３は、圧縮機４１と、四方弁４２と、外気との間で熱交換を行う室外熱交換器４３と、膨張弁４５と、室外ファン４６と、室外制御部４７と、を備えている。
【００１５】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１１を通って、再び四方弁４２を介して圧縮機４１へ吸い込まれる。この冷媒の実線矢印の流路（以下、単に「冷房流路」という。）によって、室外熱交換器４３は凝縮器として機能し、室内熱交換器１１は蒸発器として機能する。
【００１６】
一方、暖房時には、図１中に破線矢印で示すように、圧縮機４１から吐出される冷媒は、四方弁４２を介して室内熱交換器１１へ案内される。室内熱交換器１１から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１１は凝縮器として機能し、室外熱交換器４３は蒸発器として機能する。
【００１７】
室外ファン４６は、室外熱交換器４３の下流側に配置されている。運転によって、室外ファン４６は、室外熱交換器４３側から熱交換後の外気を吸い込み、室外機３外へ吹き出す。
【００１８】
室内ファン１２は、室内熱交換器１１の下流側に配置されている。運転によって、室内熱交換器１１側から熱交換後の空調対象室内の空気を吸い込み、ルーバ１５を経て室内機２外へ吹き出す。室内温度センサ２２は、室内熱交換器１１よりも上流側に設けられている。室内温度センサ２２は、室内機２に吸い込まれる空気の温度を検知する。
【００１９】
室内ファン駆動部１４は、室内制御部３２が出力する運転信号に従ってモータ１３を駆動させる。駆動するモータ１３は、室内ファン１２を回転させて空調対象室内へ送風する。
【００２０】
ルーバ駆動部１７は、室内制御部３２が出力する運転信号に従ってモータ１６を駆動させる。駆動するモータ１６は、ルーバ１５を所定の角度範囲で回転させて、上下方向の風向を制御する。
【００２１】
ＲＯＭ２９は、書き換え不可能な記憶媒体であって、制御プログラムを記憶している。
【００２２】
ＥＥＰＲＯＭ２８は、書き換え可能な記憶媒体であって、運転条件を記憶している。
【００２３】
ＲＡＭ３１は、各種情報を一時的に記憶する。
【００２４】
音声発生部２６は、室内制御部３２から送られる各種案内情報を音声信号に変換し、スピーカ２７から空調対象室に音声を発する。
【００２５】
室内制御部３２は、リモコン５から読み取る運転条件や、室内温度センサ２２から読み取る検知結果に基づいて、室外制御部４７と協働して空調運転を実行する。また、室内制御部３２は、検知器３３で検知される空調対象室内の人体の移動や存否に応じて空調運転を制御する。
【００２６】
室外制御部４７および室内制御部３２は、信号線５２によって相互に接続されている。
【００２７】
表示部３５は、室内制御部３２から送られる各種の情報を表示する。情報には、空気調和機１の運転状態や、空調対象室内の状態が含まれる。空気調和機１の運転状態には、例えば、暖房運転、冷房運転、除湿運転、および省エネ運転のいずれのモードで運転されているか、空気清浄部５３が運転されているか否か、といった情報が含まれている。空調対象室内の状態には、例えば、室内温度センサ２２で検知される室内温度、湿度センサ（図示省略）で検知される室内湿度、パーティクルカウンタ（図示省略）で検知される室内清浄度、といった情報が含まれている。
【００２８】
表示部３５は、第一表示部５５と、第二表示部５６と、を含んでいる。
【００２９】
図２は、本発明の実施形態に係る空気調和機の室内機を示す正面図である。
【００３０】
図３は、図２のＩＩＩ−ＩＩＩ線において、本発明の実施形態に係る空気調和機の室内機を示す縦断面図である。
【００３１】
図４は、本発明の実施形態に係る空気調和機の室内機を右斜め前側から示す斜視図である。
【００３２】
図５は、本発明の実施形態に係る空気調和機の室内機を図２のＩＩＩ−ＩＩＩ線において切断し、右斜め前側から示す縦断面斜視図である。
【００３３】
図２から図５に示すように、本実施形態に係る空気調和機１の室内機２は、室内機２を例えば空調対象室の壁面Ｗに据え付けるための据付板６１と、下方へ開放される送風路６２を含む後本体６５と、後本体６５に保持されて送風路６２内に配置される室内熱交換器１１と、後本体６５に保持され、室内熱交換器１１よりも下流側の送風路６２内に配置される室内ファン１２と、後本体６５の正面および側面を覆い外観部分を構成する前パネル６６と、送風路６２の下流端部を担う風路部分６８と後本体６５の底面を覆う外観構成部分６９とが屈曲されて一体に含まれる底面パネル７１と、を備えている。
【００３４】
据付板６１は、室内機２の背面全域に拡がって、空調対象室の平坦な壁面に沿わせて配置される。
【００３５】
後本体６５の下半部と据付板６１との間には、冷媒を流通させる室内機側配管７３および室外機側配管（図示省略）を配置する配管収納空間７２が区画されている。配管収納空間７２には、冷媒を流通させる室内機側配管７３が配置されている。室内機側配管７３の先端部には、配管接続部７５が設けられている。配管接続部７５は、室外機３へ至る室外機側配管（図示省略）を配管収納空間７２の室内機側配管７３に連結する配管継手である。室内機側配管７３は、室内熱交換器１１へ冷媒を導く。
【００３６】
前パネル６６は、前面枠体７６の前面を覆う前面化粧板７７と、後本体６５の左右周囲部分を覆う側面化粧板７８と、を含んでいる。
【００３７】
底面パネル７１は、後本体６５の底面に着脱自在に設けられている。底面パネル７１は、ルーバ１５の後方に配置されて後本体６５の底部をほぼ全幅に渡って覆い、前パネル６６とともに室内機２の外観を構成している。
【００３８】
さらに、室内機２は、前パネル６６および底面パネル７１に連接され、双方のパネル６６、７１に対して人の手の力程度で着脱自在に装着される配管口閉鎖カバー８２、８３を備えている。配管口閉鎖カバー８２、８３は、底面パネル７１を後本体６５の底面から取り外す前に事前に取り外しが必要となる事前離脱必要部材である。室内機２の背側底部の左右それぞれの角部分には、室外機３へ至る室外機側配管を室内機２に導入する配管導入口８５、８６がある。この配管導入口８５、８６は、室外機３へ至る室外機側配管を室内機２の左右何れの側にも配置することを可能にして室内機２の設置箇所選択の自由度を高めている。
【００３９】
配管口閉鎖カバー８２、８３は、前パネル６６および底面パネル７１に組み合わさって左右それぞれの配管導入口８５、８６を塞いでいる。室内機２は、底面パネル７１を後本体６５の底面から取り外す前に事前に取り外しが必要となる事前離脱必要部材の全てが、工具等を必要とせずに人の手の力程度で離脱可能になっている。
【００４０】
また、室内機２は、前パネル６６の内側に隠匿され、後本体６５の前方に組み合わされて後本体６５との間に送風路６２を隔てる前面枠体７６を備えている。室内機２内には、室内制御部３２が電気部品箱（図示省略）に収納されて配置されている。
【００４１】
さらに、室内機２は、空調対象室から空気を吸い込む吸込口８７と、空調後の空気（以下、単に「空調空気」という。）を空調対象室へ吹き出す吹出口８８と、を有している。吸込口８７は、室内機２の天面の略全域に渡って大きく開口されて、室内機２の上方へ向けて開放されている。吹出口８８は、室内機２の底面の前半部に幅広に開口されて、室内機２の下方へ向けて開放されている。
【００４２】
吸込口８７には、送風路６２に吸い込まれる空気から塵埃を除去するエアフィルタ（図示省略）が設けられている。エアフィルタは、可撓な網目状のシートであり、容易に丸めることができる。エアフィルタの網目は、吸込口８７から吸い込まれる空気に含まれる塵埃を濾し取る。
【００４３】
吹出口８８には、ルーバ１５が設けられている。ルーバ１５は、吹出口８８の手前側と奥側と、前後方向に２枚並んで配置されている。
【００４４】
送風路６２は、室内機２内を天面側の吸込口８７から底面側の吹出口８８へと貫通している。送風路６２には、吸込口８７側から吹出口８８へ向かってエアフィルタ、室内熱交換器１１、室内ファン１２、ルーバ１５が順次に配置されている。
【００４５】
室内熱交換器１１および送風機としての室内ファン１２は、後本体６５に取り付けられて、送風路６２内に保持されている。
【００４６】
室内熱交換器１１は、室内ファン１２の上方に、逆Ｖ字状に配置される上前面熱交換器９１および上後面熱交換器９２と、室内ファン１２の前方に配置されて上前面熱交換器９１の下方に延びる下前面熱交換器９３と、を備えている。
【００４７】
下前面熱交換器９３の下方には、上前面熱交換器９１および下前面熱交換器９３から滴下する凝縮水を受ける前部ドレンパン９５が設けられている。上後面熱交換器９２の下方には、上後面熱交換器９２から滴下する凝縮水を受ける後部ドレンパン９６が設けられている。後部ドレンパン９６は、配管収納空間７２の上方に配置されている。前部ドレンパン９５および後部ドレンパン９６に受けられた凝縮水は、ドレンホース（図示省略）を通じて室外へ排出される。
【００４８】
室内ファン１２は、室内熱交換器１１に囲まれている。
【００４９】
空気清浄部３６は、上前面熱交換器９１の吸い込み側に設けられて、マイナスイオンを放出し、送風路６２を流れる空気中に浮遊する塵埃などの粒子を負に帯電させて、対向電極として機能する上前面熱交換器９１の表面に付着させる。対向電極として機能する上前面熱交換器９１は、電気的に接地されている。
【００５０】
また、室内機２は、前パネル６６より後ろ側、かつ吹出口８８より前側に配置されて、幅方向かつ上下方向に拡がる表示領域パネル９７と、表示領域パネル９７に設けられて情報を表示する第一表示部５５と、を備えている。
【００５１】
表示領域パネル９７の拡がる上下方向は、据付板６１を垂直な壁面Ｗに固定した場合の垂線を基準として（０度として）、前後それぞれに最大４５度傾いた方向を含んでいる。
【００５２】
表示領域パネル９７は、室内機２の上下方向において前パネル６６の下端部に部分的に重なりつつ、前パネル６６の下端よりも下方まで拡がっている。表示領域パネル９７は、前パネル６６と同じ、または同程度の幅寸法を有している。
【００５３】
第一表示部５５は、表示領域パネル９７の中央部を避けて表示領域パネル９７の左右いずれかに偏倚されている。第一表示部５５は、表示領域パネル９７の裏側に設けられる電球やＬＥＤなどの発光部から発せられる光を透過させて情報を表示する。第一表示部５５に表示される情報には、空気調和機１の運転状態の運転状態としてタイマー運転が設定されていること、吸込口８７のエアフィルタの掃除を要することを、空気清浄部５３が運転されていること、検知器３３で検知される空調対象室内の人体の移動や存否に応じた節電運転を行っていること、などが含まれている。第一表示部５５に表示される情報は、表示内容が直感的に理解可能な各種の図柄、シンボル、アイコンであったり、文字情報であったりする。
【００５４】
前パネル６６は、第一表示部５５の上縁に交わる水平面ｈｐよりも下方に垂れ下がるシェード部９８を有している。シェード部９８は、前パネル６６の前面化粧板７７から側面化粧板７８に跨がって延びている。
【００５５】
シェード部９８の表側は、前パネル６６から連続的、かつ面一に連なっている。シェード部９８の下端部は、前パネル６６の裏側へフランジ状に折れ曲がっている。
【００５６】
また、室内機２は、シェード部９８の裏側に設けられ、表示領域パネル９７に向けて光を照射し表示領域パネル９７に情報を表示する第二表示部５６と、表示領域パネル９７のうち、室内機２の幅方向における中央部の裏側に設けられて空調対象室内の状態を検知する検知器３３と、を備えている。
【００５７】
第二表示部５６は、室内機２の幅方向における中央部に設けられている。第二表示部５６は、表示領域パネル９７のうち、検知器３３が配置されている箇所の表側、つまり表示領域パネル９７の中央部にある照射領域ＩＡに光を照射している。この第二表示部５６による光の照射領域ＩＡは、第一表示部５５に重ならず、双方の視認性を損なわない。第二表示部５６に表示される情報には、室内温度センサ２２で検知される室内温度、湿度センサ（図示省略）で検知される室内湿度、パーティクルカウンタ（図示省略）で検知される室内清浄度、などが含まれている。第二表示部５６に表示される情報は、例えば室内温度、室内湿度、室内清浄度のそれぞれを適宜の閾値で高低を分かち、それぞれに対応して照射領域ＩＡを照らす光の色の変化であったり、表示内容が直感的に理解可能な各種の図柄、シンボル、アイコンであったり、文字情報であったりする。
【００５８】
さらに、室内機２は、表示領域パネル９７の遠近方向に向かって第二表示部５６の配置を変更させる遠近位置変更機構１０１を備えていても良く（図３）、室内機２の上下方向に向かって第二表示部５６の配置を変更させる上下位置変更機構１０２を備えていても良い（図２）。遠近位置変更機構１０１は、照射領域ＩＡの大小を変化させ、上下位置変更機構１０２は、照射領域ＩＡの上下位置を変化させる。
【００５９】
検知器３３は、例えば赤外線センサを含む人感センサや、可視光を撮影するカメラ（図示省略）である。検知器３３は、空調対象室における視認性が確保された第二表示部５６の照射領域ＩＡに配置されることによって、空調対象室内を見通しよく検知することができる。例えば、検知器３３は、室内機２の幅方向における中央に配置されているので、室内機２を据え付ける壁面Ｗに隣り合う他の壁面が室内機２の左右いずれに近くても、空調対象室内を見通しよく検知することができる。
【００６０】
表示領域パネル９７のうち検知器３３が設けられている部分には、検知対象の赤外線や可視光を表側から裏側へ透過させる一方で、第二表示部５６が照射する光を反射させる膜材や板材が設けられている。
【００６１】
図６は、本発明の実施形態に係る空気調和機の室内機の据付状態の一例を示す図である。
【００６２】
図３に加えて図６に示すように、本発明の実施形態に係る空気調和機１の室内機２は、空調対象室の壁面Ｗに据え付けられる。ここで、室内機２が床面Ｆから室内機２の底面までの高さＨ＝１８００ｍｍに据え付けられる状態を想定する。
【００６３】
室内機２の表示領域パネル９７は、距離Ｄ＝７０００ｍｍ離れた、高さｈ＝１８５０ｍｍの視点ｐから表示内容を認識できることが好ましい。室内機２から視点までの距離Ｄ＝７０００ｍｍは、赤外線を使ったリモコン５で室内機２を確実に操作可能な距離である。また視点ｐの高さｈ＝１８５０ｍｍは、平均的な人の目の高さの最大範囲を考慮した高さである。
【００６４】
そして、前パネル６６は、第一表示部５５の上縁に交わる水平面ｈｐ（図２）に対して０．２度前傾した面の高さ（図３中、二点鎖線Ａ）から第一表示部５５の半分の高さ（図３中、二点鎖線Ｂ）までの間に垂れ下がるシェード部９８を有している。シェード部９８の垂れ下がり範囲が、第一表示部５５の上縁に交わる水平面ｈｐ（図２）に対して少なくとも０．２度前傾した面の高さから第一表示部５５の半分の高さまでの間であれば、第一表示部５５の表示内容は、視点ｐから少なくとも半分以上視認することが可能であり、表示内容が直感的に理解可能な各種の図柄、シンボル、アイコンであったり、文字情報であったりする第一表示部５５の表示が判然とする。
【００６５】
図７は、本発明の実施形態に係る空気調和機の室内機の据付状態の一例を示す拡大図である。
【００６６】
図７に示すように、本発明の実施形態に係る空気調和機１の室内機２は、空調対象室の天井に設けられる照明器具Ｌから照射される光を、前パネル６６のシェード部９８で遮ることによって、第一表示部５５および第二表示部５６の視認性を高めている。つまり、前パネル６６のシェード部９８は、表示領域パネル９７よりも照明器具Ｌ側へ突き出し、換言すれば、表示領域パネル９７よりも空調対象室の壁面Ｗから離れた場所に配置されて、ひさしのように表示領域パネル９７へ影を落としている。
【００６７】
このひさしとしてのシェード部９８が表示領域パネル９７へ落とす影は、シェード部９８と照明機器Ｌとの距離が遠いほど表示領域パネル９７の上側に寄って狭くなる。そこで、前パネル６６のシェード部９８は、表示領域パネル９７に対して少なくとも５０ｍｍ突き出した位置に配置されている。
【００６８】
本実施形態に係る空気調和機１の室内機２は、第一表示部５５の上縁を通る水平面ｈｐに対して０．２度前傾した面の高さから第一表示部５５の半分の高さまでの間に垂れ下がるシェード部９８を備えることによって、空調対象室内の照明器具Ｌから発せられる光に対して影を落とし、かつ、第一表示部５５の過半部分を遮ることなく空調対象室の任意の場所から認識可能な、視認性の高い情報表示を可能にする。
【００６９】
また、本実施形態に係る空気調和機１の室内機２は、第一表示部５５の上縁を通る水平面ｈｐに対して０．２度前傾した面の高さから第一表示部５５の半分の高さまでの間に垂れ下がるシェード部９８を備えることによって、空調対象室内の照明器具Ｌから発せられる光に対して影を落とし、第一表示部５５の光源の輝度を低減させて省エネ化にも資する。
【００７０】
さらに、本実施形態に係る空気調和機１の室内機２は、表示領域パネル９７に向けて光を照射し情報を表示する第二表示部５６を備え、間接光による表示を行うことによって、表示領域パネル９７の裏側に発光素子等の光源を配置する必要を無くし、表示領域パネル９７の裏側空間に別途、新たな利用方法を提供できる。
【００７１】
さらにまた、本実施形態に係る空気調和機１の室内機２は、表示領域パネル９７に向けて光を照射し情報を表示する第二表示部５６を備え、間接光による表示を行うことによって、光源の大きさに対して表示領域パネル９７に広い照射領域ＩＡを取って視認性を高めることもできる。
【００７２】
また、本実施形態に係る空気調和機１の室内機２は、表示領域パネル９７に向けて光を照射し情報を表示する第二表示部５６を備え、間接光による表示を行うことによって、光源の存在を隠匿しやすく、表示領域パネル９７の裏面側からの直接光で表示を行う場合のように光源そのものが視認されることがない。
【００７３】
さらに、本実施形態に係る空気調和機１の室内機２は、表示領域パネル９７に向けて光を照射し情報を表示する第二表示部５６を備え、間接光による表示を行うことによって、表示領域パネル９７の裏面側からの直接光で表示を行う場合のように光を透過させるための開口や、この開口を塞ぐ透光性の別部材を必要とせず、表示領域パネル９７の外観を簡素で綺麗な面にできる。
【００７４】
さらにまた、本実施形態に係る空気調和機１の室内機２は、表示領域パネル９７の中央部の表側に向けて光を照射し情報を表示する第二表示部５６を備える一方で、室内機２の幅方向における中央部の裏側に設けられて空調対象室内の状態を検知する検知器３３を備えており、第二表示部５６の光源がシェード部９８の裏側にあることによって、表示領域パネル９７の裏面側の空間に検知器３３を設けて、空間を効率的に活用することができる。これは、表示領域パネル９７の中央部における第二表示部５６のより高い視認性と、表示領域パネル９７の中央部における検知器３３のより広い視界の確保に資する。
【００７５】
また、本実施形態に係る空気調和機１の室内機２は、遠近位置変更機構１０１を備えることによって、第二表示部５６の表示内容の大小を変更して、視認性を変化させることができる。
【００７６】
さらに、本実施形態に係る空気調和機１の室内機２は、上下位置変更機構１０２を備えることによって、第二表示部５６の表示内容の上下位置を変更して、シェード部９８が落とす影の中に第二表示部５６の表示内容を調整して、視認性を高めることができる。
【００７７】
したがって、本実施形態に空気調和機１の室内機２によれば、空調対象室の天井に設置される照明器具Ｌの光に邪魔されることなく、空調対象室の適宜の箇所において表示の視認性を高めることができる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１  空気調和機
２  室内機
３  室外機
５  リモートコントローラ
１１  室内熱交換器
１２  室内ファン
１３  モータ
１４  室内ファン駆動部
１５  ルーバ
１６  モータ
１７  ルーバ駆動部
２２  室内温度センサ
２３  受光部
２６  音声発生部
２７  スピーカ
２８  ＥＥＰＲＯＭ
２９  ＲＯＭ
３１  ＲＡＭ
３２  室内制御部
３３  検知器
３５  表示部
３６  空気清浄部
４１  圧縮機
４２  四方弁
４３  室外熱交換器
４５  膨張弁
４６  室外ファン
４７  室外制御部
５２  信号線
５３  空気清浄部
５５  第一表示部
５６  第二表示部
６１  据付板
６２  送風路
６５  後本体
６６  前パネル
６８  風路部分
６９  外観構成部分
７１  底面パネル
７３  室内機側配管
７２  配管収納空間
７５  配管接続部
７６  前面枠体
７７  前面化粧板
７８  側面化粧板
８２、８３  配管口閉鎖カバー
８５、８６  配管導入口
８７  吸込口
８８  吹出口
９１  上前面熱交換器
９２  上後面熱交換器
９３  下前面熱交換器
９５  前部ドレンパン
９６  後部ドレンパン
９７  表示領域パネル
９８  シェード部
１０１  遠近位置変更機構
１０２  上下位置変更機構
【図１】
2016038173.tif 000003
【図２】
2016038173.tif 000004
【図３】
2016038173.tif 000005
【図４】
2016038173.tif 000006
【図５】
2016038173.tif 000007
【図６】
2016038173.tif 000008
【図７】
2016038173.tif 000009